(57)【要約】【課題】  体の一部が移動空間の中に落ち込んでしまうことのない施療装置を提供する。【解決手段】  背凭れ部１２と、この背凭れ部１２に設けた移動空間２１に上下方向に移動可能に配置され且つ被施療者の背部を施療する一対のローラ５２を備えて施療ユニット５０と、移動空間２１に被施療者の体の一部が落ち込んでしまうのを防止する保持バンド２２とを備えた施療装置であって、保持バンドは一対有し、この一対の保持バンド２２,２２が一対のローラ５２,５２の間に且つ上下方向に沿って配置されている。【選択図】  図２
2005287959.tif 000002
【特許請求の範囲】
【請求項１】
背凭れ部と、この背凭れ部に設けた移動空間に上下方向に移動可能に配置され且つ被施療者の背部を施療する一対の施療手段と、前記移動空間に被施療者の体の一部が落ち込んでしまうのを防止する保持部材とを備えた施療装置であって、
前記保持部材は少なくとも一対有し、この一対の保持部材が前記一対の施療手段の間に且つ上下方向に沿って配置されることを特徴とする施療装置。
【請求項２】
前記一対の保持部材の間隔が上方にいくにしたがって広くなっていることを特徴とする請求項１に記載の施療装置。
【請求項３】
背凭れ部と、この背凭れ部に設けた移動空間に上下方向に移動可能に配置され且つ被施療者の背部を施療する一対の施療手段と、前記移動空間に被施療者の体の一部が落ち込んでしまうのを防止する保持部材とを備えた施療装置であって、
前記保持部材は、一対の施療手段の間に配置されるとともに、上側が広いＶ字形に形成され、下側が１本に形成されていることを特徴とする施療装置。
【発明の詳細な説明】
【技術分野】
【０００１】
この発明は、例えば一対のローラを上下方向に移動させて被施療者の背部を施療する施療装置に関する。
【背景技術】
【０００２】
従来から、背凭れ部に上下動自在に一対のローラを設けたマッサージ装置が知られている（特許文献１参照）。
【０００３】
かかるマッサージ装置は、背凭れ部のフレームに囲まれた移動空間の中に上下動可能に配置された一対の施療子と、この施療子を上下動させる移動機構とが設けられている。また、各施療子は複数のローラを有し、このローラが背中を押圧していくようになっている。
【０００４】
また、一対の施療子を挟む位置である両側には上下方向に沿って一対の支持ベルトが設けられている。この一対の支持ベルトによって背中が移動空間の中に落ち込まないようになっている。
【特許文献１】特公平６−１８５９７号公報（第１図参照）
【発明の開示】
【発明が解決しようとする課題】
【０００５】
しかしながら、上記のマッサージ装置にあっては、一対の支持ベルトによって背中が移動空間の中に落ち込まないようになっているが、その一対の支持ベルト間の距離が大きく、このため頭などが移動空間の中に落ち込んでしまう問題があった。
【０００６】
この発明の目的は、頭などの体の一部が移動空間の中に落ち込んでしまうことのない施療装置を提供することにある。
【課題を解決するための手段】
【０００７】
請求項１の発明は、背凭れ部と、この背凭れ部に設けた移動空間に上下方向に移動可能に配置され且つ被施療者の背部を施療する一対の施療手段と、前記移動空間に被施療者の体の一部が落ち込んでしまうのを防止する保持部材とを備えた施療装置であって、
前記保持部材は少なくとも一対有し、この一対の保持部材が前記一対の施療手段の間に且つ上下方向に沿って配置されることを特徴とする。
【０００８】
請求項３の発明は、背凭れ部と、この背凭れ部に設けた移動空間に上下方向に移動可能に配置され且つ被施療者の背部を施療する一対の施療手段と、前記移動空間に被施療者の体の一部が落ち込んでしまうのを防止する保持部材とを備えた施療装置であって、
前記保持部材は、一対の施療手段の間に配置されるとともに、上側が広いＶ字形に形成され、下側が１本に形成されていることを特徴とする。
【発明の効果】
【０００９】
この発明によれば、体の一部が背凭れ部の移動空間の中に落ち込んでしまうことを防止することができる。
【発明を実施するための最良の形態】
【００１０】
以下、この発明に係る施療装置の実施例を図面に基づいて説明する。
【実施例】
【００１１】
［第１実施例］
図１に示す施療装置１０は、座部１１と、この座部１１の後ろに設けたリクライニングが可能な背凭れ部１２と、座部１１の前に設けた上下回動可能なオットマン１３と、座部１１の両側に設けたアームレスト部１４,１５と、後述するエアバッグ（施療手段）Ａ１〜Ａ４を膨縮させる給排気装置７０と、施療（マッサージ）モードの設定やその他各種の操作を行うリモートコントロール装置（リモコン）１００等とを備えている。
【００１２】
背凭れ部１２は、図２に示すように、前面および後面が開口した移動空間２１を形成したバックボードユニット２０と、移動空間２１内に上下動自在に配置された施療子ユニット５０と、バックボードユニット２０の下部の前面２０Ａに取り付けられたエアバッグＡ１〜Ａ４等とを有している。
【００１３】
移動空間２１の前面開口２１Ａには、背凭れ部１２の前面の中心線Ｌ１を挟む位置に上下方向に延びるとともに一対の保持部材である保持バンド２２,２２が取り付けられている。保持バンド２２,２２間の距離は狭く設定されており、各保持バンド２２は所定の幅を有している。
【００１４】
そして、エアバッグＡ１〜Ａ４や移動空間２１や保持バンド２２,２２は、背凭れ部１２を覆った図示しないカバーによって覆われている。
【００１５】
施療子ユニット５０は、移動空間２１内に設けた上下方向に延びるガイドレール５１,５１に沿って上下方向に移動するものであり、図示しない昇降機構によって上下動するようになっている。
【００１６】
また、施療子ユニット５０の前面５０Ａには、一対のローラ（施療子）５２,５２が回動自在に保持されており、この施療子ユニット５０が上下動することによりローラ５２,５２が回転しながら被施療者の背部を押圧していくものである。また、ローラ５２,５２は一対の保持バンド２２,２２を両側から挟む位置に位置している。換言すれば、保持バンド２２,２２は一対のローラ５２,５２間に配置されている。
【００１７】
給排気装置７０は、図３に示すように、エアーを給気するためのポンプ７１と、エアバッグＡ１〜Ａ４を膨縮させるための電磁弁Ｅ１〜Ｅ４と、各電磁弁Ｅ１〜Ｅ４とポンプ７１と駆動モータＭ１等とを制御する制御装置７２とを備えている。駆動モータＭ１は、施療子ユニット５０を上下動させるものであり、上記昇降機構の一部を構成している。
【００１８】
各電磁弁Ｅ１〜Ｅ４は三方弁であり、各電磁弁Ｅ１〜Ｅ４の弁（図示せず）が第１位置に切り換わるとエアバッグＡ１〜Ａ４とポンプ７１とが連通して各エアバッグＡ１〜Ａ４が膨張し、第２位置に切り換わるとその連通路が閉成されて各エアバッグＡ１〜Ａ４が膨張した状態に維持され、第３位置に切り換わると各エアバッグＡ１〜Ａ４は外気に連通されて排気が行われる。この排気により各エアバッグＡ１〜Ａ４は収縮していく。
【００１９】
制御装置７２は、リモコン装置１００の操作に基づいてモータＭ１を制御すると、施療子ユニット５０が上下動していき、この施療子ユニット５０の上下動によって、肩から背中にかけての部位がローラ５２,５２によって押圧されていく。
【００２０】
そして、ローラ５２,５２間には一対の保持バンド２２,２２が配置されて、保持バンド２２,２２間の距離が狭く設定されていることにより、被施療者の首が保持バンド２２,２２により確実保持され、被施療者の頭が保持バンド２２,２２の間から背凭れ部１２の移動空間２１内に落ち込んでしまうことを確実に防止することができる。
【００２１】
また、一対の保持バンド２２,２２で被施療者の頭を保持するものであるから、その頭を安定した状態で保持することができ、頭のぐらつきを防止することができる。ちなみに、一本の保持バンド２２で頭を保持した場合、頭の重心位置が保持バンド２２の中心位置からずれると、図４に示すように保持バンド２２が重心位置側に左あるいは右に簡単に傾いてしまい、このため頭がぐらついて安定した状態で保持することが難しいものとなる。
【００２２】
この実施例では、一対の保持バンド２２,２２で頭を保持するので、図５に示すように、頭Ｔの重心Ｇの位置が保持バンド２２,２２間の中心位置Ｌ１からずれても、重心Ｇと反対側に位置する保持バンド２２の傾きが大きくなるだけで、保持バンド２２,２２によって安定した状態で頭Ｔを保持することができる。
【００２３】
すなわち、保持バンド２２の中心線Ｌ３と保持バンド２２の中心線Ｌ４との間に頭Ｔの重心Ｇ位置があれば、頭を安定した状態で保持することができる。
【００２４】
また、リモコン装置１００の操作に基づいて各電磁弁Ｅ１〜Ｅ４が制御されると、各エアバッグＡ１〜Ａ４が膨縮されて腰や背中の部分が押圧されて施療が行われる。
【００２５】
なお、施療子ユニット５０の上下動の移動範囲は、例えばマイクロスイッチなどを設けて設定する。
［第２実施例］
図６は第２実施例の背凭れ部１１２を示したものであり、この背凭れ部１１２は、移動空間２１の前面開口２１Ａに一対の保持バンド１２２,１２２を上方にいくほどその間隔が広くなるようにＶ字形に取り付けたものである。
【００２６】
この第２実施例によれば、保持バンド１２２,１２２がＶ字形に形成されていることにより、保持バンド１２２,１２２の下部が重なっているので、頭を載せた際の保持バンド１２２,１２２の左右の傾き、すなわち保持バンド１２２,１２２の捻れを軽減することができる。
［第３実施例］
図７は第３実施例の背凭れ部２１２を示したものであり、この背凭れ部２１２は、バックボードユニット２２０の移動空間２２１を上下に大きくとり、施療子ユニット５０の上下動の範囲を大きくしたものである。
【００２７】
そして、移動空間２２１の前面開口２２１Ａには、第１実施例と同様に上下方向に延びるとともに一対の保持バンド２２２,２２２が取り付けられている。
【００２８】
この第３実施例によれば、第１実施例と同様な効果を得ることができる。
［第４実施例］
図８は第４実施例の背凭れ部３１２を示したものであり、この背凭れ部３１２は、第３実施例と同様にバックボードユニット３２０の移動空間３２１を上下に大きくとり、施療子ユニット５０の上下動の範囲を大きくしたものである。
【００２９】
そして、移動空間３２１の前面開口３２１Ａには、第２実施例と同様に、一対の保持バンド３２２,３２２をＶ字形に取り付けたものである。
【００３０】
この第４実施例によれば、第２実施例と同様な効果を得ることができる。
［第５実施例］
図９は第５実施例の背凭れ部４１２を示したものであり、この背凭れ部４１２は、第３実施例と同様にバックボードユニット４２０の移動空間４２１を上下に大きくとり、施療子ユニット５０の上下動の範囲を大きくしたものである。
【００３１】
そして、移動空間４２１の前面開口４２１Ａの上部には一対の保持バンド４２２,４２２をＶ字形に形成し、そのＶ字形の下部から１つに重ねられて下方に延びている。すなわち、一対の保持バンド４２２,４２２はＹ字形に形成されている。
【００３２】
この第５実施例によれば、Ｖ字形の下部の部分４２２Ａが１つに固定されているとともに、Ｖ字部分の長さが第３実施例のものに比較して短くなっているため、保持バンド４２２,４２２のＶ字部分は左右に広がりにくく、さらにそのＶ字部分の上部の間隔Ｗが狭くなっていることにより、保持バンド４２２,４２２は捻れにくいものとなっている。このため、頭をより安定した状態で保持することができる。
【図面の簡単な説明】
【００３３】
【図１】この発明に係る施療装置の外観を示した斜視図である。
【図２】背凭れ部のバッグボードユニットを示した斜視図である。
【図３】給排気装置の構成を示したブロック図である。
【図４】保持バンドが傾いた状態を示した説明図である。
【図５】一対の保持バンドによって頭が安定して保持されるとを示した説明図である。
【図６】第２実施例を示した説明図である。
【図７】第３実施例を示した説明図である。
【図８】第４実施例を示した説明図である。
【図９】第５実施例を示した説明図である。
【符号の説明】
【００３４】
１２            背凭れ部
２１            移動空間
２２            保持バンド
５０            施療子ユニット
５２            ローラ（施療子）
【図１】
2005287959.tif 000003
【図２】
2005287959.tif 000004
【図３】
2005287959.tif 000005
【図４】
2005287959.tif 000006
【図５】
2005287959.tif 000007
【図６】
2005287959.tif 000008
【図７】
2005287959.tif 000009
【図８】
2005287959.tif 000010
【図９】
2005287959.tif 000011